(57)【特許請求の範囲】
【請求項１】
磁気ギャップ内に配設されたボイスコイル等の駆動源に連結された振動板の表面および／または裏面に、再剥離可能な添着層を介して付加された薄板状で、添着面の形状を複数に分割して形成された分割部材で構成された付加部材を具備することを特徴とするスピーカユニット。
【請求項２】
磁気ギャップ内に配設されたボイスコイル等の駆動源に一端が連結された振動板の他端を支持するエッジ部の表面および／または裏面に、再剥離可能な添着層を介して付加された薄板状で、添着面の形状を複数に分割して形成された分割部材で構成された付加部材を具備することを特徴とするスピーカユニット。
【請求項３】
磁気ギャップ内に配設されたボイスコイル等の駆動源に連結された振動板の基部を支持するダンパ部の表面および／または裏面に再剥離可能な添着層を介して付加された薄板状で、添着面の形状を複数に分割して形成された分割部材で構成された付加部材を具備することを特徴とするスピーカユニット。
【請求項４】
磁気ギャップ内に配設されたボイスコイルを覆うキャップ部の表面に再剥離可能な添着層を介して付加された薄板状で、添着面の形状を複数に分割して形成された分割部材で構成された付加部材を具備することを特徴とするスピーカユニット。
【請求項５】
前記付加部材は、音響特性の異なる複数の分割部材で構成することを特徴とする請求項１乃至４のいずれかに記載のスピーカユニット。
【請求項６】
前記添着層は、水溶性の接着剤で構成することを特徴とする請求項１乃至５のいずれかに記載のスピーカユニット。
【発明の詳細な説明】
【０００１】
【発明の属する技術分野】
本発明は、多種多様な音響機器に用いられるスピーカユニットに関し、特に再生特性を実際の実装状態に合わせて微調整することができるスピーカユニットに関する。
【０００２】
【従来の技術】
一般に、家庭用スピーカ装置は、スピーカユニットがスピーカボックスに取り付けられるという前提で設計した後に製造されている。また、スピーカ装置が一般家庭の平均的な場所に設置されるという前提で各種特性が設定されている。
【０００３】
このために、家庭用スピーカ装置の設置状態が壁掛けの場合と、スピーカスタンドを用いて床面から浮かせた場合とで再生特性が異なり、壁掛けの場合には例えば図８に示すように約５０Ｈｚから２０ｋＨｚの再生範囲であったものが、スピーカスタンドを使用した場合には、図９に示すように低域側に劣化が生じ約１００Ｈｚから２０ｋＨｚの再生範囲に狭められてしまう。
【０００４】
一方、スピーカユニットが実装されるスピーカボックスの容積の大小によっても再生特性が変化し、容積が大である場合には、例えば図１０に示すように約５０Ｈｚから２０ｋＨｚの再生範囲であったものが、容積が中である場合には、図１１に示すように低域レベルが全体に上昇し、容積が小である場合には図１２に示すように低域、特に２００Ｈｚ近傍が上昇し過ぎの傾向がある。
【０００５】
したがって、同一のスピーカユニットを用いた場合であっても、壁掛け設置、スピーカスタンド設置、スピーカボックスの容量の大小等の実態に応じて再生特性が変化することになる。しかし、このような実使用状態の全て対応できるようにスピーカユニットを設計製造することは不可能であるので、想定される使用頻度の高い方の条件で設計製造している。
【０００６】
一方、車載用スピーカ装置に実装されるスピーカユニットにおいても、家庭用スピーカ装置の場合と同様に、全ての車種に対応できるようにスピーカユニットを設計製造することは不可能であるので、平均的なトランク形状やドア構造に合わせて想定される使用頻度の高い方の条件に基づいて設計製造が行われている。
【０００７】
【発明が解決しようとする課題】
従来のスピーカユニットは、最大公約数的な設定条件を基準とした設計製造が行われているために、家庭用スピーカ装置に実装されるスピーカユニットの場合には、スピーカボックスの容積で性能が決定されるため、床面や壁面からの反射効率が変わることで再生特性が左右される。このために再生特性に満足が得られない場合には、設置場所を変えたり、スピーカスタンドを用いて調整しなければならない。
【０００８】
一方、車載用スピーカ装置に実装されるスピーカユニットの場合には、取り付け場所と、その容積（ドア内部の容積やトランクの容積）が変わることで再生特性が左右される。しかし、その再生特性に満足が得られない場合であっても、車載型であるために設置場所の変更はできず調整を行うことができない。
【０００９】
そこで、本発明の目的は、平均的な条件で設計製造されたスピーカユニットに対して簡単にその再生特性を調整することができ、しかも、その調整を取り消したり、別の調整にすることができるスピーカユニットを提供することにある。
【００１０】
【課題を解決するための手段】
前記課題を解決するために、本発明によるスピーカユニットは、次に記載するような特徴的な構成を採用している。
【００１１】
（１）磁気ギャップ内に配設されたボイスコイル等の駆動源に連結された振動板の表面および／または裏面に、再剥離可能な添着層を介して付加された薄板状で、添着面の形状を複数に分割して形成された分割部材で構成された付加部材を具備するスピーカユニット。
【００１２】
（２）磁気ギャップ内に配設されたボイスコイル等の駆動源に一端が連結された振動板の他端を支持するエッジ部の表面および／または裏面に、再剥離可能な添着層を介して付加された薄板状で、添着面の形状を複数に分割して形成された分割部材で構成された付加部材を具備するスピーカユニット。
【００１３】
（３）磁気ギャップ内に配設されたボイスコイル等の駆動源に連結された振動板の基部を支持するダンパ部の表面および／または裏面に再剥離可能な添着層を介して付加された薄板状で、添着面の形状を複数に分割して形成された分割部材で構成された付加部材を具備するスピーカユニット。
【００１４】
（４）磁気ギャップ内に配設されたボイスコイルを覆うキャップ部の表面に再剥離可能な添着層を介して付加された薄板状で、添着面の形状を複数に分割して形成された分割部材で構成された付加部材を具備するスピーカユニット。
【００１５】
（５）前記付加部材は、音響特性の異なる複数の分割部材で構成する上記（１）乃至（４）のいずれかのスピーカユニット。
【００１６】
（６）前記添着層は、水溶性の接着剤で構成する上記（１）乃至（５）のいずれかのスピーカユニット。
【００１８】
【発明の実施の形態】
以下、本発明の一実施の形態について図面を用いて詳細に説明する。先ず、第１の実施の形態について図１ないし図４を用いて説明する。なお、本形態は高音域の再生を行う高音スピーカユニットと合わせて用いられる中低音スピーカに本発明を適用した例であり、図１に示す中低音スピーカ１の本体２の内部に形成される磁気ギャップ内に配設されたボイスコイルでなる駆動源に連結された振動板３が錐形状に形成され、その開放端部にエッジ部４が連結され、基部にキャップ部５が取り付けられている。
【００１９】
この振動板３の表面には、図２の拡大断面図にも示すように、振動板３の表面に、再剥離可能な添着層６ａを介して付加された薄板状の付加部材６が設けられている。
【００２０】
付加部材６は、ポリプロピレン樹脂の薄シートで形成され、円周を８分割した扇形状を有する分割部材で構成されている。また、添着層６ａは、水溶性の接着剤で構成され、乾燥状態のときには付加部材６の表面に密に固定され、添着する際に水で濡らすことによって流動性が発生するので、乾かない状態のときに付加部材６と振動板３を結合させる。
【００２１】
一方、付加部材６を振動板３から剥離する際には、付加部材６の周囲から水分を染み込ませると、添着層６ａが流動性を呈するので、この状態で付加部材６を振動板３から引き剥がすことができる。
【００２２】
そして、振動板３に付加部材６を添着していない状態のときの再生特性が、例えば、図３に示すように約５０Ｈｚから２０ｋＨの再生範囲であったものが、振動板３に付加部材６を添着することによって図４に示すように最低域の周波数が低域側に伸び、１００Ｈｚないし４００Ｈｚの帯域がわずかに低下する。
【００２３】
このようにして、付加部材６の添着によって再生特性を変化でき、この変化は、付加部材６の分割された全ての部材を添着する場合と、８枚の中から任意の枚数を添着する場合で異なるので所望の値になる枚数を選定することによって満足のいく特性を得ることができる。
【００２４】
次に、本発明の第２の実施の形態について説明する。なお、本形態は、図１に示す中低音スピーカ１のエッジ部４に本発明を適用した例であり、図５に示すように振動板３の開放端に連結されたエッジ部４の表面に、再剥離可能な添着層７ａを介して付加された薄板状の付加部材７を具備している。
【００２５】
付加部材７は、円環状のポリプロピレン樹脂の薄シートで形成され、添着層７ａは、水溶性の接着剤で構成され、乾燥状態のときには付加部材７の表面に密に固定され、添着する際に水で濡らすことによって流動性が発生するので、乾かない状態のときに付加部材７とエッジ部４を結合させる。
【００２６】
一方、付加部材７をエッジ部４から剥離する際には、付加部材７の周囲から水分を染み込ませると、添着層７ａが流動性を呈するので、この状態で付加部材７をエッジ部４から引き剥がすことができる。
【００２７】
このようにして、付加部材７の添着によって再生特性を変化でき、この変化は、付加部材７の分割された全ての部材を添着する場合と、その中から任意の枚数を添着する場合で異なるので所望の値になる枚数を選定することによって満足のいく特性を得ることができる。
【００２８】
次に、本発明の第３の実施の形態について説明する。なお、本形態は、図１に示す中低音スピーカ１のダンパ部に本発明を適用した例であり、図６に示すように振動板基部に連結されたダンパ部８の表面に、再剥離可能な添着層９ａを介して付加された薄板状の付加部材９が設けられる。
【００２９】
付加部材９は、円環状のポリプロピレン樹脂の薄シートで形成され、添着層９ａは、水溶性の接着剤で構成され、乾燥状態のときには付加部材９の表面に密に固定され、添着する際に水で濡らすことによって流動性が発生するので、乾かない状態のときに付加部材９とダンパ部８を結合させる。
【００３０】
一方、付加部材９をダンパ部８から剥離する際には、付加部材９の周囲から水分を染み込ませると、添着層９ａが流動性を呈するので、この状態で付加部材９をダンパ部８から引き剥がすことができる。
【００３１】
このようにして、付加部材９の添着によって再生特性を変化でき、この変化は、付加部材９の分割された全ての部材を添着する場合と、その中から任意の枚数を添着する場合で異なるので所望の値になる枚数を選定することによって満足のいく特性を得ることができる。
【００３２】
次に、本発明の第４の実施の形態について説明する。なお、本形態は、図１に示す中低音スピーカ１のキャップ部５に本発明を適用した例であり、図７に示すように、ボイスコイル部１０の上部に固定された振動板３の中心にキャップ部５が取り付けられ、その表面に、再剥離可能な添着層１１ａを介して付加された円形の薄板状の付加部材１１を具備している。
【００３３】
この付加部材１１は、円状のポリプロピレン樹脂の薄シートで形成され、添着層１１ａは、水溶性の接着剤で構成され、乾燥状態のときには付加部材１１の表面に密に固定され、添着する際に水で濡らすことによって流動性が発生するので、乾かない状態のときに付加部材１１とキャップ部５を結合させる。
【００３４】
一方、付加部材１１をキャップ部５から剥離する際には、付加部材１１の周囲から水分を染み込ませると、添着層１１ａが流動性を呈するので、この状態で付加部材１１をキャップ部５から引き剥がすことができる。
【００３５】
このようにして、付加部材１１の添着によって再生特性を変化でき、この変化は、付加部材１１の分割された全ての部材を添着する場合と、その中から任意の枚数を添着する場合で異なるので所望の値になる枚数を選定することによって満足のいく特性を得ることができる。
【００３６】
なお、今まで説明した第１ないし第４の実施の形態における付加部材６，７，９，１１は、１つのシートを複数分割したものであるが、音響特性の異なる複数の分割部材で構成するようにしてもよいことは勿論である。また、これらの付加部材６，７，９，１１の材質は全くの任意であって、添着層６ａ，７ａ，９ａ，１１ａにおける材質も全くの任意であり、表面と裏面のいずれに付加部材６，７，９，１１を設けるようにしてもよい。
【００３７】
また、振動板３の表面に添着される付加部材６に模様や着色を施すことによってデザイン的な要素を追加することができる。
【００３８】
【発明の効果】
以上の説明で明らかなように、本発明によるスピーカユニットによれば、振動板またはエッジ部またはダンパ部のいずれかに、再剥離可能な添着層を介して付加された薄板状の付加部材を具備しているので、家庭用スピーカ装置が設置される場所の床面や壁面からの反射効率が変わることで再生特性が変化しても、その変化を修正することができ、車載用のスピーカ装置の場合には、取り付け場所と、その容積（ドア内部の容積やトランクの容積）が変わることで再生特性が左右され、その再生特性に満足が得られない場合には、付加部材を取り付けることによって簡単に調整を行うことができる。
【００３９】
しかも、この調整は付加部材を一旦取り付けた後に設置場所を変更したときには、新たな使用状態に応じ、すでに取り付け済みの付加部材を剥離したり、新たに付加部材を追加することが簡単に行うことができるので、汎用性の非常に高いスピーカユニットが得られる。
【００４０】
従って、平均的な条件で設計製造されたスピーカユニットに対して簡単にその再生特性を調整することができ、しかも、その調整を取り消したり、別の調整にすることができるスピーカユニットを提供することができる。
【図面の簡単な説明】
【図１】本発明の第１の実施の形態によるスピーカユニットの斜視図である。
【図２】図１中に示されるスピーカユニットの振動板と付加部材の部分の拡大断面図である。
【図３】本発明の第１の実施の形態によるスピーカユニットの付加部材を付加する前の再生周波数特性を示す特性図である。
【図４】本発明の第１の実施の形態によるスピーカユニットの付加部材を付加したときの再生周波数特性を示す特性図である。
【図５】本発明の第２の実施の形態によるスピーカユニットのエッジ部の要部を拡大して示す断面図である。
【図６】本発明の第３の実施の形態によるスピーカユニットのダンパ部の要部を拡大して示す断面図である。
【図７】本発明の第４の実施の形態によるスピーカユニットのキャップ部の要部を拡大して示す断面図である。
【図８】従来のスピーカユニットを用いたスピーカ装置の壁掛け時における再生周波数特性を示す特性図である。
【図９】従来のスピーカユニットを用いたスピーカ装置のスピーカスタンド使用時の再生周波数特性を示す特性図である。
【図１０】従来のスピーカユニットを用いたスピーカ装置のスピーカボックス容積が大の場合の再生周波数特性を示す特性図である。
【図１１】従来のスピーカユニットを用いたスピーカ装置のスピーカボックス容積が中の場合の再生周波数特性を示す特性図である。
【図１２】従来のスピーカユニットを用いたスピーカ装置のスピーカボックス容積が小の場合の再生周波数特性を示す特性図である。
【符号の説明】
１    中低音スピーカ
２    本体
３    振動板
４    エッジ部
５    キャップ部
６，７，９，１１    付加部材
６ａ，７ａ，９ａ，１１ａ  添着層
８    ダンパ部
１０    ボイスコイル部
【図１】
0003598044.tif 000002
【図２】
0003598044.tif 000003
【図３】
0003598044.tif 000004
【図４】
0003598044.tif 000005
【図５】
0003598044.tif 000006
【図６】
0003598044.tif 000007
【図７】
0003598044.tif 000008
【図８】
0003598044.tif 000009
【図９】
0003598044.tif 000010
【図１０】
0003598044.tif 000011
【図１１】
0003598044.tif 000012
【図１２】
0003598044.tif 000013